(57)【特許請求の範囲】
【請求項１】
刈り取られた作物を搬送する搬送部と、
当該搬送部で搬送されてきた作物をカバー内で回転する回転刃で細断する細断部と、
当該細断部で細断された作物を吹き上げる排出部を備えてなる作物細断装置において、
前記回転刃を回転させるカバーの底面側に、カバー内に詰まった作物を落下させる開閉カバーを設けたことを特徴とする作物細断装置。
【請求項２】
前記排出部が、回転刃に対向して設けられた固定刃の上方に細断された作物を吹き上げて排出させるようにしたものである請求項１に記載の作物細断装置。
【請求項３】
前記開閉カバーが、前記回転刃の回転方向の上流側を支点とし、当該回転方向の下流である自由端側を開閉可能にしたものである請求項１に記載の作物細断装置。
【請求項４】
前記開閉カバーが、前記自由端側を圃場から浮かせた状態で開放状態を固定できるようにしたものである請求項２に記載の作物細断装置。
【請求項５】
前記開閉カバーが、前記細断部を支持するフレームに当接させて開放状態を固定できるようにしたものである請求項４に記載の作物細断装置。
【発明の詳細な説明】
【技術分野】
【０００１】
本発明は、トウモロコシや飼料イネ・飼料ムギなどの作物を圃場から刈り取って細断する作物細断装置に関するものであり、より詳しくは、その細断した作物の詰まりを除去できるようにした作物細断装置に関するものである。
【背景技術】
【０００２】
従来より、トウモロコシや飼料イネ・飼料ムギなどの作物を圃場から刈り取って細断する装置として、下記の特許文献１に示されるような装置が提案されている。このような装置の一般的な構造を図７や図８を用いて説明する。
【０００３】
図７において、符号８１は、刈取部であり、鉛直軸を中心として回転する左右のドラム８２を互いに内向きに回転させて外周部分の回転刃で作物を刈り取って中央部分に引き込めるようにしたものである。また、符号８３は、細断処理部であって、図８に示すように、刈り取られた作物を上下のローラ８４で挟み込んで水平な状態にして搬送し、その下流側の細断部８５で細断させるようにしたものである。この細断部８５は、前方側を上方に向けて高速に回転するシリンダカッター８６と、ローラ８４の後方側に設けられる固定刃８７などを設けて構成されており、ローラ８４から水平な状態で搬送されてきた作物を下方から高速回転してくるシリンダカッター８６で細断させるようにしたものである。このように細断された作物は、シリンダカッター８６とともに高速回転する羽根８８の風力で上方に吹き上げられ、シューター８９を介して後方に排出されるようになっている。
【先行技術文献】
【特許文献】
【０００４】
【特許文献１】意匠登録第１４７０５１０号公報
【発明の概要】
【発明が解決しようとする課題】
【０００５】
ところで、このような従来の作物細断装置で作物を細断する場合、次のような問題があった。
【０００６】
すなわち、このような作物細断装置で作物を細断する場合、縦軸方向を中心とする二つのドラム８２で中央部分に作物を集めるとともにローラ８４で上下方向から挟み込んで細断部８５まで搬送させるようにしているが、このように搬送された作物の量が多いと細断部８５のシリンダカッター８６で細断しきれず、シリンダ内部で詰まりや滞留など（以下、「詰まり」と称する）を生じてしまう。このような場合、従来では、図８に示すように、細断処理部８３を支持しているフレーム９０の後方側に設けられた開閉カバー９１を開けることによって詰まりを除去できるようにしていたが、このような作業は開閉カバー９１と車両本体との間の狭い隙間内で行わなければならず、また、開閉カバー９１を開けた後、シリンダカッター８６を手で逆方向に回転させて作物を除去しなければならないため、その作業に非常に時間がかかってしまうといった問題があった。
【０００７】
そこで、本発明は、シリンダカッターを有する細断部で詰まりを生じた場合であっても、簡単にその詰まった作物を除去できるようにした作物細断装置を提供することを目的とする。
【課題を解決するための手段】
【０００８】
すなわち、本発明は上記課題を解決するために、刈り取られた作物を搬送する搬送部と、当該搬送部で搬送されてきた作物をカバー内で回転する回転刃で細断する細断部と、当該細断部で細断された作物を吹き上げて排出する排出部を備えてなる作物細断装置において、前記回転刃を回転させるカバーの底面側に、カバー内に詰まった作物を落下させる開閉カバーを設けるようにしたものである。
【０００９】
このように構成すれば、底面側の開閉カバーを開けることによって、内部で詰まった作物をそのまま落下させることができ、従来のように詰まった作物を手で除去するような作業がなくなる。
【００１０】
また、このような発明において、回転刃に対向して設けられた固定刃の上方に細断された作物を吹き上げて排出させるように排出部を設けたものに適用する。
【００１１】
このような装置に適用すれば、細断された作物をそのまま上方に吹き上げて排出させるため、開閉カバーを開けた状態でシリンダカッターを回転させたとしても、吹き上げられなかった作物、すなわち、細断されなかった作物を外部に排出させることができるようになる。
【００１２】
さらに、開閉カバーを、前記回転刃の回転方向の上流側を支点とし、当該回転方向の下流である自由端側を開閉可能に設けるようにする。
【００１３】
このようにすれば、開閉カバーを開けた状態でシリンダカッターを回転させた際、細断されなかった作物をその回転による遠心力で外部に排出させることができるようになる。
【００１４】
加えて、前記開閉カバーを、前記自由端側を圃場から浮かせるように開放させた状態で固定できるようにする。
【００１５】
このように構成すれば、開閉カバーを開けた状態で圃場を走行しながら、作物の刈り取りや細断などを行うことができるようになる。
【００１６】
また、開閉カバーを、前記細断部を支持するフレームに当接させて開放状態を固定できるようにする。
【００１７】
このように構成すれば、細断部を支持するフレームを利用して開閉カバーを開放した状態で固定できるようになる。
【発明の効果】
【００１８】
本発明によれば、刈り取られた作物を搬送する搬送部と、当該搬送部で搬送されてきた作物をカバー内で回転する回転刃で細断する細断部と、当該細断部で細断された作物を吹き上げて排出する排出部を備えてなる作物細断装置において、前記回転刃を回転させるカバーの底面側に、カバー内に詰まった作物を落下させる開閉カバーを設けるようにしたので、底面側の開閉カバーを開けることによって、内部で詰まった作物をそのまま落下させることができ、従来のように詰まった作物を手で除去するような作業がなくなる。
【図面の簡単な説明】
【００１９】
【図１】本発明の一実施の形態を示す作物細断装置の全体構成を示す図
【図２】同形態における刈取部を示す図
【図３】同形態における搬送部の詳細構造を示す図
【図４】同形態における搬送部の概略と細断部を示す図
【図５】同形態における開閉カバーを開けた状態を示す図
【図６】同形態における下部フレームの下方から開閉カバーを開けた状態を見た図
【図７】従来例を示す図
【図８】従来例の細断部を示す図
【発明を実施するための形態】
【００２０】
以下、本発明の一実施の形態について図面を参照して説明する。
【００２１】
この実施の形態における作物細断装置１は、圃場のトウモロコシや飼料イネ・飼料ムギなどの作物を株元から刈り取って細断し、家畜用の飼料として提供できるようにしたものであって、図１に示すように、車体の前方側に設けられた刈取部２と、その刈取部２で刈り取られた作物を搬送して細断する細断部４（図３および図４参照）と、この細断部４で細断された作物を吹き上げて車体後方側の収容部６に排出する排出部５とを備えてなるものであって、特徴的に、シリンダカッター４３を覆うシリンダカバー４５の底面側に開閉カバー７を設けるようにしたものである。そして、このように底面側に開閉カバー７を設けることによって、シリンダカッター４３を回転させることで内部に詰まった作物を圃場に落下させ、内部に詰まった作物を排出させるようにしたものである。以下、本実施の形態における作物細断装置１について詳細に説明する。
【００２２】
まず、刈取部２は、図１や図２に示すように、車体の前方側に設けられるものであって、縦軸を中心として内向きに回転する左右一対のドラム２１によって構成されている。このドラム２１の下方の外周部分には複数の刃２２が設けられており、その刃２２に作物を当てることによって株元から作物を刈り取れるようにしている。このように刈り取られた作物は、刃２２の上方に設けられた間欠的な作物保持用の爪２３に引っ掛けられ、左右のドラム２１の内側中央部分まで引き込まれるようになる。そして、その引き込まれた作物を上方に設けられたバー２４に当てることにより、作物を株元から水平な方向に向けて傾けて引き込めるようにしている。
【００２３】
このように株元から引き込まれた作物は、搬送部３で水平な状態に束ねて搬送され、その後、細断部４で細断される。これら搬送部３や細断部４は、図４や図６に示すように、比較的広めの間隔を隔てて四角く枠組みされた下部フレーム４６と、その下部フレーム４６を上方に支持させるための上部フレーム４７などを備えて構成されており、これらのフレーム４６、４７によって車体に支持されるようになっている。
【００２４】
このフレーム４６、４７に支持される搬送部３は、作物を水平な状態に束ねて細断部４側に向けて搬送できるようにしたものであって、ここでは、図３に示すように、前後一対の第一搬送ローラ部３１や第二搬送ローラ部３２を設けて構成されている。
【００２５】
このうち、第一搬送ローラ部３１は、下側の固定ローラ３１ｂと上側の可変ローラ３１ａを設けて構成されており、これら固定ローラ３１ｂと可変ローラ３１ａの間に作物を挟み込んで搬送させるようになっている。これらの固定ローラ３１ｂと可変ローラ３１ａには、刈取部２で刈り取られた作物を確実に取り込めるように、間欠的な突起を外周面に設けるようにしている。
【００２６】
一方、第二搬送ローラ部３２は、第一搬送ローラ部３１と同様に、上側の固定ローラ３２ｂと下側の可変ローラ３２ａを設けて構成されており、こられの固定ローラ３２ｂと可変ローラ３２ａの間に作物を挟み込むことで、前方の第一搬送ローラ部３１との跨って搬送される作物を水平な状態にして細断部４に搬送させるようにしている。
【００２７】
細断部４は、図４に示すように、この搬送部３によって水平に搬送されてきた作物を一定幅刻みで細断できるようにしている。より具体的には、この細断部４は、円筒状をなすように設けられたシリンダカバー４５の内側で回転するシリンダ４２と、そのシリンダ４２の径方向に設けられる複数のシリンダカッター４３と、第二搬送ローラ部３２の後方に設けられた固定刃４１などを有しており、このシリンダカッター４３と固定刃４１との間に作物を挟み込んで細断できるようにしている。また、このシリンダ４２には、細断された作物を吹き上げるための複数の羽根４４が設けられており、シリンダ４２を回転させることによって細断された作物を上方に強い風圧でそのまま吹き上げられるようになっている。
【００２８】
排出部５は、このシリンダ４２の回転で吹き上げられた作物を車体後方に向けて排出できるようにしたものであって、固定刃４１の上方に向けてそのまま作物を吹き上げ、そこからシュートを介して車体後方の収容部６（図１参照）へ作物を排出できるように構成されている。なお、ここでは収容部６として、その細断された作物からロールベールを成形するロール成形部で構成するようにしているが、この収容部６を荷台にして、そこに作物を収容させるようにしてもよい。
【００２９】
このような構成において、本実施の形態では、シリンダカバー４５の底面側に開閉カバー７が設けられるようになっている。
【００３０】
この開閉カバー７は、円筒状をなすシリンダカバー４５の底面側を開閉可能に設けるようにしたものであって、図４に示すように、シリンダカバー４５の後方側に設けられた支点７１を中心に、底面側を自由端７４として開閉できるように取り付けられている。なお、このシリンダカバー４５の自由端７４を、シリンダカバー４５の最下点よりも上側に位置させた場合、開閉カバー７の湾曲した部分に作物が載ってしまうことになるため、図４に示すように、この自由端７４をシリンダカバー４５の最下点と一致させて開放させるようにしている。この自由端７４側には、シリンダカバー４５の横から挿入されるピン７３によって閉じられるようになっており、このピン７３を抜くとともに、必要に応じて開閉カバー７に設けられたレバー７２を下方に押し下げることによって、開閉カバー７を開閉できるようになっている。また、このように開けられた開閉カバー７は、最大限に開放させた状態で、図５や図６などに示すように、側面部分が下部フレーム４６に当たって開放状態が固定され、自由端７４側を圃場に接地させないようにしている。そして、このように開閉カバー７を開けることによって、シリンダカバー４５の底面側に詰まった作物を圃場に落下させるようにしている。
【００３１】
次に、このように構成された作物細断装置１で作物を細断する際の作用について説明する。
【００３２】
まず、車体を走行させて圃場の作物を刈り取る際、車体を走行させながら前方に設けられたドラム２１を互いに内側に回転させ、外周部分に設けられた刃２２によって圃場の作物を刈り取る。すると、その刃２２の上方に設けられた爪２３によって作物が中央部分に集められ、作物が内側に引き込まれていく。そして、このように引き込まれた作物は、上方に設けられたバー２４に当たって、株元側から搬送部３に引き込まれていくようになる。
【００３３】
そして、このように搬送部３に作物が引き込まれると、第一搬送ローラ部３１と第二搬送ローラ部３２によって作物が水平な状態で搬送され、また、可変ローラ３１ａ、３２ａによって作物が上下から押圧されて後方側の細断部４へと搬送されていく。
【００３４】
このように細断部４側へ作物が搬送されると、第二搬送ローラ部３２の後方に設けられた固定刃４１と、下方側から高速回転してくるシリンダカッター４３によって作物が細断される。このように細断された作物は、シリンダ４２の羽根４４の風圧によってそのまま上方に吹き上げられ、固定刃４１の上方に設けられた排出口からシュートを介して後方の収容部６へと排出されていく。
【００３５】
このような細断処理を行っている際、刈り取られた作物の量が多くて束ねられた作物の径が太くなってしまった場合や、その作物が多くの湿気を含み、高負荷となり回転数が落ちて細断や吹き上げをすることができなかった場合、その作物はシリンダ４２を周回してシリンダカバー４５の底面部側へと徐々に溜まってしまい、詰まりを生じてしまうことになる。このような場合、細断処理部の側方に設けられたピン７３を抜き、必要に応じてレバー７２を下方に下げて開閉カバー７を開ける。すると、底面側に溜まっていた作物が開閉カバー７の傾斜面に沿って圃場に落下し、しかも、シリンダ４２を回転させることによってその風圧や慣性力によって詰まった作物を回転方向に開いた開口部分から排出させることができるようになる。また、開閉カバー７を最大限に開けた状態で、開閉カバー７が下部フレーム４６に当たって自由端７４側が圃場から浮いた状態となるため、開閉カバー７を開けた状態で車両を走行させて作物の細断と排出を行うことができるようになる。
【００３６】
このように上記実施の形態によれば、刈り取られた作物を搬送する搬送部３と、当該搬送部３で搬送されてきた作物をシリンダカバー４５内で回転するシリンダカッター４３で細断する細断部４と、当該細断部４で細断された作物を羽根４４で吹き上げる排出部５を備えてなる作物細断装置１において、前記シリンダカッター４３を回転させるシリンダカバー４５の底面側に、シリンダカバー４５内に詰まった作物を落下させる開閉カバー７を設けるようにしたので、底面側の開閉カバー７を開けることによって、内部で詰まった作物をそのまま落下させることができ、従来のように詰まった作物を手で除去するような作業がなくなる。
【００３７】
また、シリンダカッター４３に対向して設けられた固定刃４１の上方に細断された作物を吹き上げて排出させるように排出部５を設けるようにしたので、細断された作物をそのまま吹き上げて排出することができ、開閉カバー７を開放させた状態でシリンダカッター４３を回転させても、吹き上げられなかった作物を外部に排出することができるようになる。
【００３８】
さらに、開閉カバー７を、前記シリンダカッター４３の回転方向の上流側を支点７１とし、当該回転方向の下流である自由端７４側を開閉可能に設けるようにしたので、開閉カバー７を開放させた状態でシリンダカッター４３を回転させて、内部に溜まった作物を排出させることができるようになる。
【００３９】
加えて、前記開閉カバー７を、前記自由端７４側を圃場から浮かせた状態で開放状態を固定できるようにしたので、開閉カバー７を開けた状態で圃場を走行して、作物の刈り取りや細断などを行うことができるようになる。
【００４０】
また、開閉カバー７を、前記細断部４を支持するフレームに当接させて開放状態を固定できるようにしたので、細断部４を支持するフレームを利用して開閉カバー７の開放状態を固定できるようにすることができる。
【００４１】
なお、本発明は上記実施の形態に限定されることなく、種々の態様で実施することができる。
【００４２】
例えば、上記実施の形態では、車体の左右方向に沿った軸を中心として回転するシリンダカッター４３を回転刃の例に挙げて説明したが、車体の前後方向に沿った軸を中心として回転するカッターで細断する場合についても同様の構成を適用することができる。このような場合、そのカッターを覆うカバーの底面側に開閉カバーを設けるようにする。
【００４３】
また、上記実施の形態では、支点７１を中心として自由端７４側を開閉させるようにしたが、スライド式の開閉カバーを設けて底面部分を開放させるようにしてもよい。
【００４４】
さらには、上記実施の形態では、レバー７２で開閉カバー７を開閉させるようにしたが、このような開閉作業を自動で行えるようにしてもよい。
【符号の説明】
【００４５】
１・・・作物細断装置
２・・・刈取部
３・・・搬送部
４・・・細断部
４１・・・固定刃
４２・・・シリンダ
４３・・・シリンダカッター
４４・・・羽根
４５・・・シリンダカバー
４６・・・下部フレーム
４７・・・上部フレーム
５・・・排出部
７・・・開閉カバー
７１・・・支点
７２・・・レバー
７３・・・ピン
７４・・・自由端
【図１】
0006608727.tif 000002
【図２】
0006608727.tif 000003
【図３】
0006608727.tif 000004
【図４】
0006608727.tif 000005
【図５】
0006608727.tif 000006
【図６】
0006608727.tif 000007
【図７】
0006608727.tif 000008
【図８】
0006608727.tif 000009